(57)【要約】【課題】専用部品を追加したり、固定ねじに専用部材を付設することなく、器具本体と反射板とを固定ねじを介して電気的に接続することができ、且つ固定ねじの緩みを防止できる照明器具の反射板取付構造を提供する。【解決手段】反射板取付構造は、導電体で形成された器具本体１と、表面に絶縁性の被膜が形成された導電体からなり、器具本体１に取着される反射板２と、導電体で形成され反射板２を器具本体１に固定する固定ねじ３とで構成される。反射板２のねじ挿通孔２ａの周縁部には固定ねじ３側に突出する突起部２ｂが設けてある。また固定ねじ３のねじ頭部３ａには、反射板２側の面の周縁部に中心側から外周側に弧状に伸びる係合突部３ｂが円周方向に一定の間隔をおいて複数設けてあり、固定ねじ３の回転方向における係合突部３ｂの断面形状が、固定ねじ３が締まる方向に行くほど突起部２ｂ側への突出量が徐々に小さくなるように形成してある。【選択図】図１
2007280767.tif 000002
【特許請求の範囲】
【請求項１】
導電体で形成された器具本体と、表面に絶縁性の被膜が形成された導電体からなり、前記器具本体に取付けられる反射板と、導電体で形成され前記反射板に設けたねじ挿通孔に挿通されて前記器具本体に螺着される固定ねじとで構成され、前記ねじ挿通孔の周縁部に前記固定ねじ側に突出する突起部を設けるとともに、前記固定ねじの頭部であって前記反射板と対向する面に中心側から外周側に伸びる係合突部を設け、前記固定ねじの回転方向における前記係合突部の断面形状を、前記固定ねじが締まる方向に行くほど前記突起部側への突出量が徐々に小さくなるような鋸歯形状に形成したことを特徴とする照明器具の反射板取付構造。
【発明の詳細な説明】
【技術分野】
【０００１】
本発明は、照明器具の反射板取付構造に関するものである。
【背景技術】
【０００２】
従来より、図３及び図４に示すように、つまみねじ６を用いて反射板２を器具本体１に取付ける照明器具Ａがあった。この照明器具Ａは、天井面などに取付けられる矩形板状の器具本体１と、表面に塗膜が形成され、器具本体１に取付けられる反射板２と、反射板２を器具本体１に固定するつまみねじ６とを備えている。器具本体１の四隅には、つまみねじ６が螺合するねじ孔１ａが設けられており、反射板２には器具本体１のねじ孔１ａに対応する部位に、ねじ挿通孔２ａが設けられている。また図４（ｂ）に示すように、つまみねじ６のねじ頭部６ａの反射板２側の面には突起部６ｂが複数設けられている。そしてねじ孔１ａとねじ挿通孔２ａの位置が合うように反射板２を器具本体１に取付けた状態で、つまみねじ６をねじ挿通孔２ａに挿通し、ねじ孔１ａに螺入させて反射板２を固定する。この場合、つまみねじ６をねじ孔１ａに螺入させる際に、突起部６ｂが反射板２の表面に接触して摺動することで表面塗膜を剥離し、ねじ挿通孔２ａの周りにリング状の剥離部（図示せず）が形成される。そしてこの剥離部と突起部６ｂとが接触することで器具本体１と反射板２とがつまみねじ６を介して電気的に接続される。しかしこの場合、突起部６ｂと反射板２との接触箇所以外の塗膜も剥離してしまい、その剥離箇所から錆などが発生し、品質が低下するという問題があった。また反射板２とつまみねじ６との間に突起部６ｂの高さ分の隙間が生じるため、外観を損なうという問題もあった。
【０００３】
そこで図４（ｃ）に示すように、ねじ頭部６ａの反射板２側の面に傾斜部６ｄが設けられたつまみねじ６を用いる反射板取付構造が提案されている。この場合、つまみねじ６をねじ孔１ａに螺入させる際に、傾斜部６ｄの傾斜面がねじ挿通孔２ａのつまみねじ６側の端縁部に接触して摺動することでねじ挿通孔２ａの端縁部の表面塗膜を剥離し、剥離部（図示せず）が形成される。そしてこの剥離部と傾斜部６ｄの傾斜面とが接触することで器具本体１と反射板２とがつまみねじ６を介して電気的に接続される。しかしこの場合、傾斜部６ｄの傾斜面はねじ挿通孔２ａのつまみねじ６側の端縁部に面接触して摺動しているので、塗膜の剥離面積が小さく、電気的に十分接続されない虞れがあった。
【０００４】
そこで器具本体と反射板との電気的接続を確実にするために、反射板のねじ挿通孔に突起部を設けた照明器具が提案されている（例えば特許文献１参照）。この照明器具は、反射板のねじ挿通孔の周縁部につまみねじ側に突出する突起部が形成され、この突起部の先端部には複数の凹部と凸部を有する凹凸部が設けられている。この場合、つまみねじを器具本体のねじ孔に螺入させる際に、突起部に設けた凹凸部がつまみねじのねじ頭部の反射板側の面に点接触して摺動することで、凸部の表面塗膜を剥離し、剥離部（図示せず）が形成される。そしてこの剥離部とつまみねじの頭部とが接触することで器具本体と反射板とがつまみねじを介して電気的に接続される。
【特許文献１】特開２００２−２９８６３４号公報（第３頁−第４頁、及び、第１図−第５図）
【発明の開示】
【発明が解決しようとする課題】
【０００５】
上述の特許文献１に示した照明器具では、凹凸部が断面三角形状に形成されており、この凹凸部の凸部がねじ頭部の反射板側の面に点接触して摺動するので、塗膜の剥離面積が小さく、電気的に十分接続されない虞れがあった。また上述の図４（ｃ）に示した反射板取付構造では、傾斜部６ｄの傾斜面がねじ挿通孔２ａのつまみねじ６側の端縁部に面接触しており、突起のように係止する箇所がないのでつまみねじ６が緩みやすいという問題があった。さらに上述の特許文献１及び図４（ｂ）に示した反射板取付構造では、つまみねじと反射板の表面又はつまみねじと凹凸部の凸部とが点接触しているので、図４（ｃ）に示した反射板取付構造に比べ、つまみねじの緩みは若干改善されたが、緩み止めの効果は十分ではなかった。
【０００６】
また器具本体と反射板とを電気的に接続し、且つ、つまみねじの緩みを防止するために、専用部品を追加したり、つまみねじに専用部材を付設する方法もある。しかしこの場合、使用材料や組立工数が増加したり、つまみねじの製造性が悪いという問題があった。
【０００７】
本発明は上記問題点に鑑みて為されたものであり、その目的とするところは、専用部品を追加したり、固定ねじに専用部材を付設することなく、器具本体と反射板とを固定ねじを介して電気的に接続することができ、且つ固定ねじの緩みを防止することができる照明器具の反射板取付構造を提供することにある。
【課題を解決するための手段】
【０００８】
請求項１の発明は、導電体で形成された器具本体と、表面に絶縁性の被膜が形成された導電体からなり、器具本体に取付けられる反射板と、導電体で形成され反射板に設けたねじ挿通孔に挿通されて器具本体に螺着される固定ねじとで構成され、ねじ挿通孔の周縁部に固定ねじ側に突出する突起部を設けるとともに、固定ねじの頭部であって反射板と対向する面に中心側から外周側に伸びる係合突部を設け、固定ねじの回転方向における係合突部の断面形状を、固定ねじが締まる方向に行くほど突起部側への突出量が徐々に小さくなるような鋸歯形状に形成したことを特徴とする。
【発明の効果】
【０００９】
請求項１の発明によれば、反射板に設けたねじ挿通孔の周縁部に固定ねじ側に突出する突起部を設け、固定ねじのねじ頭部であって反射板側の面に中心側から外周側に伸びる係合突部を設けているので、固定ねじを器具本体のねじ孔に螺入させる際に、係合突部が突起部に線接触して摺動することで突起部の表面に形成された絶縁性の被膜を確実に剥離し、固定ねじを介して器具本体と反射板とを確実に電気的に接続することができるという効果がある。また固定ねじの回転方向における係合突部の断面形状を、固定ねじが締まる方向に行くほど反射板の突起部側への突出量が徐々に小さくなるような鋸歯形状に形成しているので、固定ねじが緩む方向の回転に対して係合突部が突起部の先端部に係止され、固定ねじの緩みを防止することができるという効果がある。
【００１０】
さらに器具本体と反射板とを電気的に接続し、且つ固定ねじの緩みを防止するために、専用部品を追加したり、固定ねじに専用部材を付設していないので、固定ねじの外観及び取付方法を変更することなく高品質の照明器具を提供することができるという効果がある。また専用部品を追加したり、固定ねじに専用部材を付設していないので、使用材料や組立工数を削減することができ、且つ固定ねじの製造性を向上させることができるという効果もある。
【発明を実施するための最良の形態】
【００１１】
以下に本発明の実施の形態を図１〜図３に基づいて説明する。尚、本発明に係る反射板取付構造を適用する照明器具は、固定ねじ及びねじ挿通孔の形状が異なる点を除いては背景技術で説明した図３の照明器具と略同様である。
【００１２】
まず照明器具Ａについて図１及び図３に基づいて説明する。照明器具Ａは導電体により略平板状に形成され、天井面などに取付けられる器具本体１を備えている。器具本体１の下面の四隅には後述する固定ねじ３が螺合するねじ孔１ａが設けられている。また器具本体１の下面には図示しない蛍光灯を装着するためのソケット５が配設されるとともに、両端部に安定器４が対向して設けられている。
【００１３】
次に反射板２について図１及び図３に基づいて説明する。反射板２は表面に絶縁性の被膜（例えば、塗膜など）が形成された導電体からなり、器具本体１を覆うような形状に形成されている。また反射板２は下面に開口した蛍光灯収納凹部を備え、この蛍光灯収納凹部の底（天井部をなす）にはソケット５が挿通される挿通孔７が設けられている。さらに反射板２の四隅にはねじ孔１ａに対応する部位に固定ねじ３が挿通されるねじ挿通孔２ａが設けられており、ねじ挿通孔２ａの周縁部には、図１に示すように固定ねじ３側の面から略垂直に突出し、先端に行くほど径が小さくなるような円筒状の突出部２ｂが形成されている。
【００１４】
さらに固定ねじ３について図１及び図２に基づいて説明する。固定ねじ３は導電体で形成され、円板状のねじ頭部３ａと、反射板２のねじ挿通孔２ａに挿通され器具本体１のねじ孔１ａに螺合するねじ部３ｃとを備えている。ねじ頭部３ａであって反射板２側の面の周縁部には、中心側から外周側に弧状に伸びる係合突部３ｂが円周方向に一定の間隔をおいて複数設けられており、固定ねじ３の回転方向における係合突部３ｂの断面形状は、図３（ｄ）に示すように、固定ねじ３が締まる方向（矢印Ｃの方向）に行くほど突起部２ｂ側への突出量が徐々に小さくなるような鋸歯形状に形成されている。
【００１５】
ここで固定ねじ３を用いて反射板２を器具本体１に取付ける方法を図１及び図３に基づいて説明する。まず器具本体１のねじ孔１ａと反射板２のねじ挿通孔２ａの位置が合うように反射板２を器具本体１に取付ける。次に固定ねじ３のねじ部３ｃをねじ挿通孔２ａに挿通させ、ねじ孔１ａに螺合させると、反射板２が器具本体１に螺設される。この時、係合突部３ｂが突起部２ｂに線接触して摺動することで、突起部２ｂの先端部の表面塗膜が剥離され、この剥離部と係合突部３ｂとが接触し、固定ねじ３を介して器具本体１と反射板２とが電気的に接続される。また、係合突部３ｂの断面形状が、固定ねじ３が締まる方向に行くほど突起部２ｂ側への突出量が徐々に小さくなるような鋸歯形状に形成されているので、固定ねじ３が緩む方向の回転に対して係合突部３ｂが突起部２ｂの先端部に係止され、固定ねじ３の緩みが防止される。尚、器具本体１から反射板２を取り外す場合は、固定ねじ３を取り外すだけで簡単に取り外すことができる。
【００１６】
また本実施形態では、器具本体１と反射板２とを電気的に接続し、且つ固定ねじ３の緩みを防止するために、専用部品を追加したり、固定ねじ３に専用部材を付設していないので、固定ねじ３の外観及び取付方法を変更することなく高品質の照明器具を提供することができる。さらに専用部品を追加したり、固定ねじ３に専用部材を付設していないので、使用材料や組立工数を削減することができ、且つ固定ねじ３の製造性を向上させることができる。
【００１７】
尚、本実施形態では、ねじ頭部３ａであって反射板２側の面の周縁部に係合突部３ｂを設けているが、ねじ部３ｃを除く面全体に放射状に設けてもよい。また係合突部３ｂの形状についても本実施形態に限定されるものではない。
【図面の簡単な説明】
【００１８】
【図１】本実施形態の反射板取付構造を示す断面図である。
【図２】（ａ）〜（ｄ）は同上に用いる固定ねじの形状を説明する説明図である。
【図３】従来例の照明器具の分解斜視図である。
【図４】（ａ）は従来例のつまみねじの外観斜視図である。（ｂ）及び（ｃ）は従来例の反射板取付構造を示す断面図である。
【符号の説明】
【００１９】
１    器具本体
２    反射板
２ａ  ねじ挿通孔
２ｂ  突起部
３    固定ねじ
３ａ  ねじ頭部
３ｂ  係合突部
【図１】
2007280767.tif 000003
【図２】
2007280767.tif 000004
【図３】
2007280767.tif 000005
【図４】
2007280767.tif 000006